(57)【要約】【課題】確認すべき内容の確認漏れや人為的なミスを減少させることが可能なＡＤＬアセスメントシステム、ＡＤＬアセスメント装置及びプログラムを提供する。【解決手段】サーバ装置１は、日常生活能力を向上させるプログラムを集約したプログラムマスタを記憶する記憶手段と、ＡＤＬ評価の結果及び日常生活能力を向上させるプログラムを特定するテスト項目のテスト結果を受信するサーバ受信手段と、ＡＤＬ評価結果に基づいてテスト項目を検索する検索手段と、テスト結果に基づいて日常生活能力を向上させるプログラムを選択する選択手段と、テスト項目及びプログラムを配信先の端末装置２に配信する配信手段と、を備える。また、端末装置２は、ＡＤＬ評価結果及びテスト結果の入力を受け付ける入力手段と、ＡＤＬ評価結果及びテスト結果をサーバ装置１へと送信する送信手段と、テスト項目及びプログラムを受信する端末受信手段と、を備える。【選択図】図１
2015148915.tif 000002
【特許請求の範囲】
【請求項１】
複数の施設にそれぞれ設置された端末装置と、通信ネットワークを介して前記端末装置と接続されるサーバ装置と、を備えたＡＤＬアセスメントシステムであって、
前記サーバ装置は、
実施対象者の日常生活能力を向上させるための各種プログラムを集約したプログラムマスタを記憶する記憶手段と、
前記日常生活能力を評価するＡＤＬ評価の結果及び前記日常生活能力を向上させるためのプログラムを特定するためのテスト項目のテスト結果を受信するサーバ受信手段と、
前記サーバ受信手段により受信されたＡＤＬ評価結果に基づいて、前記テスト項目を検索する検索手段と、
前記サーバ受信手段により受信されたテスト結果に基づいて、前記記憶手段に記憶されたプログラムマスタより前記日常生活能力を向上させるためのプログラムを選択する選択手段と、
前記検索手段により検索されたテスト項目及び前記選択手段により選択されたプログラムを、配信先の前記端末装置に配信する配信手段と、
を備え、
前記端末装置は、
前記ＡＤＬ評価結果及び前記テスト結果の入力を受け付ける入力手段と、
前記入力手段により入力を受け付けたＡＤＬ評価結果及びテスト結果を、前記サーバ装置へと送信する送信手段と、
前記サーバ装置から配信されたテスト項目及びプログラムを受信する端末受信手段と、
を備えることを特徴とするＡＤＬアセスメントシステム。
【請求項２】
前記日常生活能力は、筋力であることを特徴とする請求項１に記載のＡＤＬアセスメントシステム。
【請求項３】
前記記憶手段は、所定の前記テスト結果と強化すべき筋肉とを対応付けした筋肉マスタを更に記憶するとともに、前記プログラムマスタを、筋肉と対応付けて記憶し、
前記選択手段は、前記テスト結果と前記筋肉マスタとを照合して強化すべき筋肉を特定し、当該特定された筋肉と前記プログラムマスタとを照合して当該筋肉を強化するためのプログラムを選択することを特徴とする請求項２に記載のＡＤＬアセスメントシステム。
【請求項４】
前記日常生活能力は、認知能力であることを特徴とする請求項１〜３のいずれか一項に記載のＡＤＬアセスメントシステム。
【請求項５】
前記端末装置は、前記サーバ受信手段により受信されたプログラムを表示する表示手段を更に備えることを特徴とする請求項１〜４のいずれか一項に記載のＡＤＬアセスメントシステム。
【請求項６】
実施対象者の日常生活能力を評価するＡＤＬ評価結果及び前記日常生活能力を向上させるためのプログラムを特定するためのテスト項目のテスト結果の入力を受け付ける入力手段と、
実施対象者の日常生活能力を向上させるための各種プログラムを集約したプログラムマスタを記憶する記憶手段と、
前記入力手段により入力を受け付けたＡＤＬ評価結果に基づいて、前記テスト項目を検索する検索手段と、
前記入力手段により入力を受け付けたテスト結果に基づいて、前記記憶手段に記憶されたプログラムマスタより前記日常生活能力を向上させるためのプログラムを選択する選択手段と、
前記検索手段により検索されたテスト項目及び前記選択手段により選択されたプログラムを出力する出力手段と、
を備えることを特徴とするＡＤＬアセスメント装置。
【請求項７】
実施対象者の日常生活能力を評価するＡＤＬ評価結果及び前記日常生活能力を向上させるためのプログラムを特定するためのテスト項目のテスト結果の入力を受け付ける入力手段により入力を受け付けたＡＤＬ評価結果に基づいて、前記テスト項目を検索する検索手段、
前記入力手段により入力を受け付けたテスト結果に基づいて、記憶手段に記憶された、実施対象者の日常生活能力を向上させるための各種プログラムを集約したプログラムマスタより、前記日常生活能力を向上させるためのプログラムを選択する選択手段、
前記検索手段により検索されたテスト項目及び前記選択手段により選択されたプログラムを出力手段により出力させる出力制御手段、
として機能させるためのプログラム。
【発明の詳細な説明】
【技術分野】
【０００１】
本発明は、ＡＤＬアセスメントシステム、ＡＤＬアセスメント装置及びプログラムに関する。
【背景技術】
【０００２】
従来、介護施設やリハビリテーション施設の利用者の中には、食事、排泄などの日常生活動作（ＡＤＬ：activities of daily living）を円滑に行うべく、理学療法士等の有資格者の指導に従って予め作成されたプログラムを実行している者が存在する。
このＡＤＬの向上を支援するシステムとして、介護支援対象者に対して最適なケアプランを提供可能なシステムが知られている（例えば、特許文献１参照）。
【先行技術文献】
【特許文献】
【０００３】
【特許文献１】特開２０１１−１３８８４号公報
【発明の概要】
【発明が解決しようとする課題】
【０００４】
しかしながら、上記従来の技術では、ケアプランの選定に際し、人為的な判断を必要とする箇所が多いため、本来確認すべき内容（例えば、ヒアリング、テスト項目等）の確認漏れが多くなるという問題がある。
また、有資格者により提供されるオペレーションが不均一であったため、人為的なミスが発生しやすいという問題がある。
【０００５】
本発明は、確認すべき内容の確認漏れや人為的なミスを減少させることが可能なＡＤＬアセスメントシステム、ＡＤＬアセスメント装置及びプログラムを提供することを目的とする。
【課題を解決するための手段】
【０００６】
請求項１に記載の発明は、上記目的を達成するためになされたものであり、
複数の施設にそれぞれ設置された端末装置と、通信ネットワークを介して前記端末装置と接続されるサーバ装置と、を備えたＡＤＬアセスメントシステムであって、
前記サーバ装置は、
実施対象者の日常生活能力を向上させるための各種プログラムを集約したプログラムマスタを記憶する記憶手段と、
前記日常生活能力を評価するＡＤＬ評価の結果及び前記日常生活能力を向上させるためのプログラムを特定するためのテスト項目のテスト結果を受信するサーバ受信手段と、
前記サーバ受信手段により受信されたＡＤＬ評価結果に基づいて、前記テスト項目を検索する検索手段と、
前記サーバ受信手段により受信されたテスト結果に基づいて、前記記憶手段に記憶されたプログラムマスタより前記日常生活能力を向上させるためのプログラムを選択する選択手段と、
前記検索手段により検索されたテスト項目及び前記選択手段により選択されたプログラムを、配信先の前記端末装置に配信する配信手段と、
を備え、
前記端末装置は、
前記ＡＤＬ評価結果及び前記テスト結果の入力を受け付ける入力手段と、
前記入力手段により入力を受け付けたＡＤＬ評価結果及びテスト結果を、前記サーバ装置へと送信する送信手段と、
前記サーバ装置から配信されたテスト項目及びプログラムを受信する端末受信手段と、
を備えることを特徴とする。
【０００７】
請求項２に記載の発明は、請求項１に記載のＡＤＬアセスメントシステムにおいて、
前記日常生活能力は、筋力であることを特徴とする。
【０００８】
請求項３に記載の発明は、請求項２に記載のＡＤＬアセスメントシステムにおいて、
前記記憶手段は、所定の前記テスト結果と強化すべき筋肉とを対応付けした筋肉マスタを更に記憶するとともに、前記プログラムマスタを、筋肉と対応付けて記憶し、
前記選択手段は、前記テスト結果と前記筋肉マスタとを照合して強化すべき筋肉を特定し、当該特定された筋肉と前記プログラムマスタとを照合して当該筋肉を強化するためのプログラムを選択することを特徴とする。
【０００９】
請求項４に記載の発明は、請求項１〜３のいずれか一項に記載のＡＤＬアセスメントシステムにおいて、
前記日常生活能力は、認知能力であることを特徴とする。
【００１０】
請求項５に記載の発明は、請求項１〜４のいずれか一項に記載のＡＤＬアセスメントシステムにおいて、
前記端末装置は、前記サーバ受信手段により受信されたプログラムを表示する表示手段を更に備えることを特徴とする。
【００１１】
請求項６に記載の発明は、ＡＤＬアセスメント装置において、
実施対象者の日常生活能力を評価するＡＤＬ評価結果及び前記日常生活能力を向上させるためのプログラムを特定するためのテスト項目のテスト結果の入力を受け付ける入力手段と、
前記実施対象者の日常生活能力を向上させるための各種プログラムを集約したプログラムマスタを記憶する記憶手段と、
前記入力手段により入力を受け付けたＡＤＬ評価結果に基づいて、前記テスト項目を検索する検索手段と、
前記入力手段により入力を受け付けたテスト結果に基づいて、前記記憶手段に記憶されたプログラムマスタより前記日常生活能力を向上させるためのプログラムを選択する選択手段と、
前記検索手段により検索されたテスト項目及び前記選択手段により選択されたプログラムを出力する出力手段と、
を備えることを特徴とする。
【００１２】
請求項７に記載の発明は、
実施対象者の日常生活能力を評価するＡＤＬ評価結果及び前記日常生活能力を向上させるためのプログラムを特定するためのテスト項目のテスト結果の入力を受け付ける入力手段により入力を受け付けたＡＤＬ評価結果に基づいて、前記テスト項目を検索する検索手段、
前記入力手段により入力を受け付けたテスト結果に基づいて、記憶手段に記憶された、実施対象者の日常生活能力を向上させるための各種プログラムを集約したプログラムマスタより、前記日常生活能力を向上させるためのプログラムを選択する選択手段、
前記検索手段により検索されたテスト項目及び前記選択手段により選択されたプログラムを出力手段により出力させる出力制御手段、
として機能させるためのプログラムである。
【発明の効果】
【００１３】
本発明によれば、確認すべき内容の確認漏れや人為的なミスを減少させることができる。
【図面の簡単な説明】
【００１４】
【図１】第１実施形態に係るＡＤＬアセスメントシステムの構成を示す接続図である。
【図２】サーバ装置の機能的構成を模式的に示すブロック図である。
【図３】端末装置の機能的構成を模式的に示すブロック図である。
【図４】ＡＤＬ評価時の項目毎の点数表の一例を示す図である。
【図５】ＡＤＬ評価結果の表示画面の一例を示す図である。
【図６】サーバ装置の動作の一例を示すフローチャートである。
【図７】身体能力に関するテスト時に使用される表の一例を示す図である。
【図８】筋肉マスタの一例を示す図である。
【図９】プログラムマスタの一例を示す図である。
【図１０】端末装置の動作の一例を示すフローチャートである。
【図１１】第２実施形態に係るサーバ装置の機能的構成を模式的に示すブロック図である。
【図１２】サーバ装置の動作の一例を示すフローチャートである。
【図１３】認知能力に関するヒアリング時に使用される表の一例を示す図である。
【図１４】認知能力に関するテスト時に使用される表の一例を示す図である。
【図１５】プログラムマスタの一例を示す図である。
【図１６】第３実施形態に係るＡＤＬアセスメント装置の機能的構成を模式的に示すブロック図である。
【発明を実施するための形態】
【００１５】
［１．構成の説明］
以下、図面を参照しつつ、本発明の実施形態であるＡＤＬアセスメントシステムを詳細に説明する。但し、発明の範囲は、図示例に限定されない。なお、ＡＤＬアセスメントとは、実施対象者のＡＤＬを客観的に評価することを示している。以下、ＡＤＬアセスメントをＡＤＬ評価と表記することもある。
【００１６】
（第１実施形態）
本発明の第１実施形態のＡＤＬアセスメントシステムの構成について、図１を参照して説明する。
ＡＤＬアセスメントシステム１００は、図１に示すように、サーバ装置１、全国各地に存在する複数の施設（例えば、介護施設、リハビリテーション施設等）にそれぞれ設置された端末装置２を有する構成である。このＡＤＬアセスメントシステム１００において、サーバ装置１と端末装置２とは通信ネットワークＮにより互いに通信可能に接続される。具体的には、通信ネットワークＮは、インターネット、無線ＬＡＮ（Local Area Network）、電気通信事業者等の電話回線網や携帯電話通信網等である。
【００１７】
サーバ装置１は、実施するプログラムを、実施対象者が利用する施設に設置された端末装置２にネットワークＮを介して配信する。サーバ装置１は、ＰＣ、ＷＳ（Work Station）等の情報機器であってよい。
【００１８】
端末装置２は、ＰＣ、ＷＳ（Work Station）、タブレット端末、スマートフォン、ＰＤＡ（Personal Digital Assistant）等の情報機器である。また、端末装置２は通信ネットワークＮを用いてサーバ装置１との間で相互に通信を行う。
【００１９】
次に、サーバ装置１の詳細について、図２を参照して説明する。
サーバ装置１は、図２に示すように、制御部１１、操作部１２、表示部１３、記憶部１４、通信部１５を有する。上記サーバ装置１の各部は、バス１６により電気的に接続されている。
【００２０】
制御部１１は、サーバ装置１の動作を中央制御する。具体的には、制御部１１は、ＣＰＵ、ＲＯＭ、ＲＡＭなどを有しており、ＲＡＭの作業領域に展開されたＲＯＭや記憶部１４に記憶されたプログラムデータとＣＰＵとの協働により各部を統括制御する。
【００２１】
操作部１２は、ユーザからの操作入力を受け付け、当該操作に応じた操作信号を制御部１１へ出力する。例えば、操作部１２は、文字入力キー、数字入力キー、その他各種機能に対応付けられたキーを備えたキーボード、マウス等のポインティングデバイスなどであってよい。
【００２２】
表示部１３は、制御部１１から出力された表示制御信号に基づいた画像を表示画面に表示する。例えば、表示部１３は、ＣＲＴ（Cathode Ray Tube）やＬＣＤ（Liquid Crystal Display）、有機ＥＬ（Electro Luminescence）素子を用いたＦＰＤ（Flat Panel Display）などであってよい。
【００２３】
記憶部１４は、プログラムデータや各種設定データ等のデータを制御部１１から読み書き可能に記憶する。例えば、記憶部１４は、ＨＤＤ（Hard disk drive）、半導体メモリなどであってよい。
【００２４】
また、記憶部１４には、各施設における利用者の年齢、性別、疾患、介護レベル等の顧客情報が格納されている。また、所定のテスト結果と強化すべき筋肉とを対応付けした筋肉マスタ１４１や、大学教授や理学療法士等により作成された筋肉強化用の各種プログラムを集約したプログラムマスタ１４２が格納されている。
即ち、記憶部１４は、実施対象者の日常生活能力を向上させるための各種プログラムを集約したプログラムマスタ１４２を記憶する記憶手段として機能する。
【００２５】
通信部１５は、制御部１１の制御の下、所定の通信プロトコルを用いて通信ネットワークＮを介したデータ通信を行う。具体的には、通信部１５は、通信用ＩＣ（Integrated Circuit）と通信コネクタなどを有する通信インターフェイスである。例えば、通信部１５は、サーバ受信手段として、日常生活能力を評価するＡＤＬ評価の結果及び日常生活能力を向上させるためのプログラムを特定するためのテスト項目のテスト結果を受信する。また、通信部１５は、配信手段として、ＡＤＬ評価結果に基づいて検索されたテスト項目、及びテスト結果とプログラムマスタ１４２とを照合して選択されたプログラムを、配信先の端末装置２へと配信する。
【００２６】
次に、端末装置２の詳細について、図３を参照して説明する。
端末装置２は、図３に示すように、制御部２１、操作部２２、表示部２３、記憶部２４、通信部２５、入力部２６を有する。上記端末装置２の各部は、バス２７により電気的に接続されている。
【００２７】
制御部２１は、端末装置２の動作を中央制御する。具体的には、制御部２１は、ＣＰＵ、ＲＯＭ、ＲＡＭなどを有しており、ＲＡＭの作業領域に展開されたＲＯＭや記憶部２４に記憶されたプログラムデータとＣＰＵとの協働により各部を統括制御する。
【００２８】
操作部２２は、ユーザからの操作入力を受け付け、当該操作入力に応じた操作信号を制御部２１へ出力する。例えば、操作部２２は、文字入力キー、数字入力キー、その他各種機能に対応付けられたキーを備えたキーボード、マウス等のポインティングデバイスなどであってよい。
【００２９】
表示部２３は、制御部２１から出力された表示制御信号に基づいた画像を表示画面に表示する。例えば、表示部２３は、ＣＲＴ、ＬＣＤ、有機ＥＬ素子を用いたＦＰＤなどであってよい。また、表示部２３は、タブレット端末のように、操作部２２と一体的に形成されたタッチパネルなどであってもよい。例えば、表示部２３は、表示手段として、サーバ装置１から配信されたプログラムを表示する。
【００３０】
記憶部２４は、プログラムデータや各種設定データ等のデータを制御部２１から読み書き可能に記憶する。例えば、記憶部２４は、ＨＤＤ、半導体メモリなどであってよい。
【００３１】
通信部２５は、制御部２１の制御の下、所定の通信プロトコルを用いて通信ネットワークＮを介したデータ通信を行う。具体的には、通信部２５は、通信用ＩＣと通信コネクタなどを有する通信インターフェイスである。また、アンテナや無線通信回路を有し、制御部２１による制御の下で無線通信を行うものであってもよい。
例えば、通信部２５は、端末受信手段として、サーバ装置１から配信されたテスト項目及びプログラムを受信する。また、通信部２５は、送信手段として、操作部２２又は入力部２６により入力を受け付けたＡＤＬ評価結果及びテスト結果を、サーバ装置１へと送信する。
【００３２】
入力部２６は、身長計、体重計、体温計、血圧計等の利用者の生体データを測定すると共に測定結果を電子データとして出力可能な各種測定装置からのデータが入力され、制御部２１の制御の下、入力データを取り込む。また、外付けのＨＤＤやＵＳＢ（Universal Serial Bus）メモリ等の読み取り機器、文字情報を読み取り電子化するスキャナ、バーコードを読み取るバーコードリーダ等のその他の情報入力装置であってもよい。
【００３３】
［２．動作の説明］
本発明の第１実施形態におけるＡＤＬアセスメントシステム１００の具体的な動作の説明を、図４〜図１０を用いて詳細に行う。
【００３４】
まず、前提として、ＡＤＬ評価について説明する。
ＡＤＬ評価とは、実施対象者が基本生活において何ができ、何ができないかを評価する手法の一つである。より具体的には、実施対象者が食事、更衣、移動、排泄、整容、入浴など生活を営む上で不可欠な日常生活活動にて、何ができて何ができないかを把握し、改善していくべきところを見つけるために行われるものである。
ＡＤＬ評価は、例えば、図４に示すように、身体能力を評価するための複数の項目と、認知能力を評価するための複数の項目と、に大きく区分され、実施対象者の実情に合わせて項目毎に点数化することにより行われる。身体能力を評価するための複数の項目には、「移動」、「移乗」、「昇降」、「食事」、「入浴」、「更衣」、「整容」、「トイレ動作」、「排便自制」、「排尿自制」が含まれる。「移動」項目は１〜１５点、「移乗」、「昇降」、「食事」、「入浴」、「更衣」、「トイレ動作」の各項目は１〜１０点、「整容」、「排便自制」、「排尿自制」の各項目は１〜５点でそれぞれ評価される。認知能力を評価するための複数の項目には、「意思疎通」、「認知」が含まれる。「意思疎通」、「認知」の各項目は１〜５点でそれぞれ評価される。なお、第１実施形態では、少なくとも「身体能力を評価するための項目」さえあればよく、「認知能力を評価するための項目」は省略してもよい。
有資格者により端末装置２にＡＤＬ評価の結果が入力されると、例えば、図５に示すように、ＡＤＬ評価結果を示す画面が表示部２３に表示される。具体的には、利用者名と、年齢と、介護レベルと、測定日と、ＡＤＬ評価で確認した項目と、当該項目と対応付けられた項番と、当該項目に対する回答、及び当該回答と対応付けられた得点と、測定者と、上記得点を合計した合計点と、が表示部２３に表示される。
【００３５】
［２−１．サーバ装置の動作の説明］
ここで、サーバ装置１の動作について、図６のフローチャートを用いて説明する。
まず、サーバ装置１の制御部１１は、通信部１５を制御して、端末装置２からネットワークＮを介してＡＤＬ評価結果を受信したか否かを判断する（ステップＳ１１）。
ＡＤＬ評価結果を受信したと判断した場合（ステップＳ１１：Ｙｅｓ）は、次のステップＳ１２へと移行する。
一方、ＡＤＬ評価結果を受信していないと判断した場合（ステップＳ１１：Ｎｏ）は、ＡＤＬ評価結果を受信するまで当該ステップＳ１１の処理を繰り返す。
【００３６】
次に、制御部１１は、ステップＳ１１で受信したＡＤＬ評価結果に基づいて、強化すべき筋肉を特定するためのテスト項目を検索する（ステップＳ１２）。例えば、ＡＤＬ評価結果において、得点が項目毎に予め定められた得点を下回った項目に対して、テスト項目として選択する内容を予め対応付けておくことで、ＡＤＬ評価結果からテスト項目を検索することができる。
即ち、制御部１１は、通信部１５により受信されたＡＤＬ評価結果に基づいて、テスト項目を検索する検索手段として機能する。
そして、制御部１１は、通信部１５を制御して、ステップＳ１２で検索されたテスト項目を、配信先の端末装置２へと配信する（ステップＳ１３）。このテスト項目に基づいて、有資格者により実施対象者に対して身体能力に関するヒアリング及びテストが行われる。
身体能力に関するヒアリングは、例えば、「正座の姿勢からどのようにして、立ちあがれますか？」との質問をし、それに対して「１．できない」「２．手を床についてなら立ちあがれる」「３．手を使わずに立ちあがれる」の選択肢から択一的に回答させるものである。また、他の例として、「どのくらいの重さの荷物なら１０ｍ運べますか？」との質問をし、それに対して「１．できない」「２．５ｋｇ程度」「３．１０ｋｇ程度」の選択肢から択一的に回答させるものである。また、他の例として、「仰向けに寝た姿勢から、手を使わないで上体だけ起こせますか？」との質問をし、それに対して「１．できない」「２．１〜２回程度」「３．３〜４回程度」の選択肢から択一的に回答させるものである。
身体能力に関するテストは、例えば、図７に示す「運動・体力評価表」を用いて行われる。運動・体力評価表は、日時、測定者、実施対象者の氏名、性別、年齢、及び測定内容を記載可能に構成されている。測定内容には、「身長」、「体重」、「握力」、「開眼片足立ち」、「長座位体前屈」、「ファンクショナルリーチ」、「Ｔｉｍｅｄ  ＵＰ  ＆  Ｇｏ」、「３０秒間足踏み」が含まれる。
【００３７】
次に、制御部１１は、通信部１５を制御して、端末装置２からネットワークＮを介してテスト結果を受信したか否かを判断する（ステップＳ１４）。
テスト結果を受信したと判断した場合（ステップＳ１４：Ｙｅｓ）は、次のステップＳ１５へと移行する。
一方、テスト結果を受信していないと判断した場合（ステップＳ１４：Ｎｏ）、テスト結果を受信するまで当該ステップＳ１４の処理を繰り返す。
【００３８】
次に、制御部１１は、ステップＳ１４で受信したテスト結果と筋肉マスタ１４１とを照合し、強化すべき筋肉を特定する（ステップＳ１５）。
筋肉マスタ１４１は、例えば、図８に示すように、識別番号としての「ｉｄ」と、筋肉名と、ふりがなと、テスト結果との対応付けを示す「ｔｅｓｔ＿ｉｄ」と、当該筋肉を強化するためのプログラムとの対応付けを示す「ｐｒｏｇｒａｍ＿ｉｄ」と、を紐づけした状態で、記憶部１４に記憶されている。
例えば、ステップＳ１４で受信したテスト結果を参照した結果、「ｔｅｓｔ＿ｉｄ」が「３００６０」であった場合、強化すべき筋肉は「ｉｄ」が「１０００１」の「鳥口腕筋」であると特定される。また、同時に、「ｉｄ」が「１０００１」の「鳥口腕筋」は、「ｐｒｏｇｒａｍ＿ｉｄ」が「４０００１」のプログラムと紐づけられていることがわかる。
【００３９】
次に、制御部１１は、ステップＳ１５における筋肉マスタ１４１との照合結果とプログラムマスタ１４２とを照合し、筋肉を強化するためのプログラムを選択する（ステップＳ１６）。
即ち、制御部１１は、通信部１５により受信されたテスト結果に基づいて、記憶部１４に記憶されたプログラムマスタ１４２より日常生活能力を向上させるためのプログラムを選択する選択手段として機能する。
プログラムマスタ１４２は、例えば、図９に示すように、識別番号としての「ｉｄ」と、プログラム名と、当該プログラムの運動強度を示すレベルと、当該プログラムに対応するＡＤＬ評価時の項目と、を紐づけした状態で、記憶部１４に記憶されている。
例えば、筋肉の「ｉｄ」が「１０００１」の「鳥口腕筋」であった場合、この「鳥口腕筋」を強化するためのプログラムは、「ｐｒｏｇｒａｍ＿ｉｄ」が「４０００１」の「ＡＡＡ式」であると特定される。この「ＡＡＡ式」プログラムは、レベルが「１（＝軽度）」であり、ＡＤＬ評価時の項目が「移動」であるので、「移動」時の運動能力を軽度な運動で強化するものであることがわかる。
【００４０】
次に、制御部１１は、ステップＳ１５で選択されたプログラムを、配信先の端末装置２へと配信する（ステップＳ１７）。
【００４１】
次いで、端末装置２の動作について、図１０のフローチャートを用いて説明する。
まず、端末装置２の制御部２１は、ＡＤＬ評価結果の入力が行われたか否かを判断する（ステップＳ２１）。なお、ＡＤＬ評価結果の入力は、例えば、有資格者が操作部２２を操作して直接入力するようにしてもよいし、入力部２６を構成するスキャナ等で読み取るようにしてもよい。
即ち、操作部２２及び入力部２６は、ＡＤＬ評価結果の入力を受け付ける入力手段として機能する。
【００４２】
ＡＤＬ評価結果の入力が行われたと判断した場合（ステップＳ２１：Ｙｅｓ）は、次のステップＳ２２へと移行する。
一方、ＡＤＬ評価結果の入力が行われていないと判断した場合（ステップＳ２１：Ｎｏ）は、ＡＤＬ評価結果の入力が行われるまで当該ステップＳ２１の処理を繰り返す。
【００４３】
次に、制御部２１は、通信部２５を制御して、ステップＳ２１で入力されたＡＤＬ評価結果を、サーバ装置１へと送信する（ステップＳ２２）。
【００４４】
次に、制御部２１は、通信部２５を制御して、サーバ装置１からネットワークＮを介して筋肉を特定するためのテスト項目が配信されたか否かを判断する（ステップＳ２３）。
テスト項目が配信されたと判断した場合（ステップＳ２３：Ｙｅｓ）は、当該配信されたテスト項目を、通信ネットワークＮを介して、図示しないプリンタ等により帳票出力させる（ステップＳ２４）。そして、帳票出力されたテスト項目に基づいて、身体能力に関するヒアリング及びテストが行われる。なお、テスト項目を帳票出力させる代わりに、テスト項目を表示部２３に表示させるようにしてもよい。
一方、テスト項目が配信されていないと判断した場合（ステップＳ２３：Ｎｏ）は、テスト項目が配信されるまで当該ステップＳ２３の処理を繰り返す。
【００４５】
次に、制御部２１は、テスト結果の入力が行われたか否かを判断する（ステップＳ２５）。なお、テスト結果の入力は、ＡＤＬ評価結果の入力と同様、例えば、有資格者が操作部２２を操作して直接入力するようにしてもよいし、入力部２６を構成するスキャナ等で読み取るようにしてもよい。
即ち、操作部２２及び入力部２６は、テスト結果の入力を受け付ける入力手段として機能する。
テスト結果の入力が行われたと判断した場合（ステップＳ２５：Ｙｅｓ）は、次のステップＳ２６へと移行する。
一方、テスト結果の入力が行われていないと判断した場合（ステップＳ２５：Ｎｏ）は、テスト結果の入力が行われるまで当該ステップＳ２５の処理を繰り返す。
【００４６】
次に、制御部２１は、通信部２５を制御して、ステップＳ２５で入力されたテスト結果を、サーバ装置１へと送信する（ステップＳ２６）。
【００４７】
次に、制御部２１は、通信部２５を制御して、サーバ装置１からネットワークＮを介して、筋肉を強化するために選択されたプログラムが配信されたか否かを判断する（ステップＳ２７）。
プログラムが配信されたと判断した場合（ステップＳ２７：Ｙｅｓ）は、当該配信されたプログラムを表示部２３に表示させる（ステップＳ２８）。
一方、プログラムが配信されていないと判断した場合（ステップＳ２７：Ｎｏ）は、プログラムが配信されるまで当該ステップＳ２７の処理を繰り返す。
【００４８】
以上のように、第１実施形態に係るＡＤＬアセスメントシステム１００におけるサーバ装置１は、実施対象者の日常生活能力を向上させるための各種プログラムを集約したプログラムマスタ１４２を記憶する記憶手段（記憶部１４）と、日常生活能力を評価するＡＤＬ評価の結果及び日常生活能力を向上させるためのプログラムを特定するためのテスト項目のテスト結果を受信するサーバ受信手段（通信部１５）と、サーバ受信手段により受信されたＡＤＬ評価結果に基づいて、テスト項目を検索する検索手段（制御部１１）と、サーバ受信手段により受信されたテスト結果に基づいて、記憶手段に記憶されたプログラムマスタ１４２より日常生活能力を向上させるためのプログラムを選択する選択手段（制御部１１）と、検索手段により検索されたテスト項目及び選択手段により選択されたプログラムを、配信先の端末装置２へと配信する配信手段（通信部１５）と、を備える。
また、端末装置２は、ＡＤＬ評価結果及びテスト結果の入力を受け付ける入力手段（操作部２２、入力部２６）と、入力手段により入力を受け付けたＡＤＬ評価結果及びテスト結果を、サーバ装置１へと送信する送信手段（通信部２５）と、サーバ装置１から配信されたテスト項目及びプログラムを受信する端末受信手段（通信部２５）と、を備える。
従って、第１実施形態に係るＡＤＬアセスメントシステム１００によれば、ケアプランの選定に際し、人為的な判断を必要とする箇所を少なくすることができるので、確認すべき内容の確認漏れを減少させることができる。また、有資格者により提供されるオペレーションを均一化することができるので、人為的なミスを減少させることができる。
【００４９】
また、第１実施形態に係るＡＤＬアセスメントシステム１００の記憶手段は、所定のテスト結果と強化すべき筋肉とを対応付けした筋肉マスタ１４１を更に記憶するとともに、プログラムマスタ１４２を、筋肉と対応付けて記憶し、選択手段は、テスト結果と筋肉マスタ１４１とを照合して強化すべき筋肉を特定し、当該特定された筋肉とプログラムマスタ１４２とを照合して当該筋肉を強化するためのプログラムを選択する。
従って、第１実施形態に係るＡＤＬアセスメントシステム１００によれば、人体において全部で６００箇所も存在する筋肉のデータがマスタ化されているので、個人の知識への依存度が低下して個人差を解消することができ、安定したサービスを提供することができる。
【００５０】
（第２実施形態）
次に、本発明の第２実施形態のＡＤＬアセスメントシステムの構成について説明する。
図１１〜図１５に示す第２実施形態では、第１実施形態と比べ、サーバ装置１Ａの記憶部１４Ａの構成、及び筋肉を強化する代わりに、認知能力を向上させることを目的とする点が異なっている。なお、説明の簡略化のため、第１実施形態と同様の構成については、同一の符号を付して、その詳細な説明を省略する。
具体的には、第２実施形態に係るサーバ装置１Ａの記憶部１４Ａは、図１１に示すように、大学教授や理学療法士等により作成された認知能力向上用の各種プログラムを集約したプログラムマスタ１４２Ａを記憶する。
【００５１】
次に、第２実施形態に係るＡＤＬアセスメントシステム１００におけるサーバ装置１Ａの具体的な動作について、図１２のフローチャートを参照して説明する。
ステップＳ３１の処理は、第１実施形態に係るサーバ装置１の動作について示す図６のステップＳ１１の処理と同様であるので、説明を省略する。
【００５２】
次に、制御部１１は、ステップＳ３１で受信したＡＤＬ評価結果に基づいて、認知能力を向上させるためのプログラムを特定するためのテスト項目を検索する（ステップＳ３２）。
そして、制御部１１は、通信部１５を制御して、ステップＳ３２で検索されたテスト項目を、配信先の端末装置２へと配信する（ステップＳ３３）。このテスト項目に基づいて、有資格者により実施対象者に対して認知能力に関するヒアリング及びテストが行われる。
認知能力に関するヒアリングは、例えば、図１３に示すヒアリングの評価表を用いて行われる。ヒアリングの評価表は、記入日、実施対象者の氏名、記入者の氏名、身長、体重、続柄、及びヒアリング内容を記載可能に構成されている。ヒアリング内容には、例えば、普段の体の状態や、認知症の状態等を問う質問が含まれる。
認知能力に関するテストは、例えば、図１４に示す「知的機能検査表」を用いて行われる。知的機能検査表は、日時、測定者、実施対象者の氏名、性別、年齢、及びテスト内容を記載可能に構成されている。テスト内容には、例えば、日時確認、居場所確認、復唱、計算、複写などが含まれる。
【００５３】
ステップＳ３４の処理は、図６のステップＳ１４の処理と同様であるので、説明を省略する。
次に、制御部１１は、ステップＳ３４で受信したテスト結果とプログラムマスタ１４２Ａとを照合し、認知能力を向上させるためのプログラムを選択する（ステップＳ３５）
プログラムマスタ１４２Ａは、例えば、図１５に示すように、識別番号としての「ｉｄ」と、プログラム名と、当該プログラムの強度を示すレベルと、当該プログラムに対応するＡＤＬ評価時の項目と、テスト結果との対応付けを示す「ｔｅｓｔ＿ｉｄ」と、を紐づけした状態で、記憶部１４Ａに記憶されている。
例えば、「ｔｅｓｔ＿ｉｄ」が「５００６０」であった場合、このテスト結果に対応付けられたプログラムは、「ｐｒｏｇｒａｍ＿ｉｄ」が「６０００１」の「ＭＮＯ式」であると特定される。この「ＭＮＯ式」プログラムは、レベルが「１（＝軽度）」であり、ＡＤＬ評価時の項目が「認知」であるので、「認知」能力を軽度のプログラムで向上させるものであることがわかる。
なお、端末装置２の動作については、第１実施形態と同様であるので、説明を省略する。
【００５４】
以上のように、第２実施形態に係るＡＤＬアセスメントシステム１００によれば、認知能力を向上させるためのプログラムを自動的に選択することができるので、認知症の患者に対するケアプランの選定時においても、確認すべき内容の確認漏れや人為的なミスを減少させることができる。
【００５５】
（第３実施形態）
第１実施形態及び第２実施形態では、端末装置２と、通信ネットワークＮを介して端末装置２と接続されるサーバ装置１と、を備えたＡＤＬアセスメントシステム１００を例示して説明したが、サーバ装置１の機能と端末装置２の機能を１台の装置（ＡＤＬアセスメント装置）で実現することも可能である。
具体的には、第３実施形態に係るＡＤＬアセスメント装置３は、図１６に示すように、制御部３１、操作部３２、表示部３３、記憶部３４、入力部３６を有する。上記ＡＤＬアセスメント装置３の各部は、バス３７により電気的に接続されている。
ここで、制御部３１はサーバ装置１の制御部１１と、操作部３２は端末装置２の操作部２２と、表示部３３は端末装置２の表示部２３と、記憶部３４はサーバ装置１の記憶部１４と、入力部３６は端末装置２の入力部２６と、同様の構成である。
即ち、制御部３１は、検索手段として、入力手段としての操作部３２及び入力部３６により入力されたＡＤＬ評価結果に基づいて、テスト項目を検索する。
また、制御部３１は、選択手段として、操作部３２及び入力部３６により入力されたテスト結果に基づいて、記憶手段としての記憶部３４に記憶されたプログラムマスタ１４２より日常生活能力を向上させるためのプログラムを選択する。
また、制御部３１は、出力制御手段として、検索手段により検索されたテスト項目及び選択手段により選択されたプログラムを出力手段としての表示部３３により出力させる。
【００５６】
以上のように、第３実施形態に係るＡＤＬアセスメント装置３、並びに上記検索手段、選択手段及び出力制御手段を制御部３１に実行させるプログラムによれば、１台の装置で実現可能であるので、簡易な構成で確認すべき内容の確認漏れや人為的なミスを減少させることができる。
【００５７】
以上、本発明に係る実施形態に基づいて具体的に説明したが、本発明は上記実施形態に限定されるものではなく、その要旨を逸脱しない範囲で変更可能である。
【００５８】
例えば、第１実施形態及び第２実施形態は、同時に実現可能である。即ち、記憶部１４に、第１実施形態の筋肉マスタ１４１及びプログラムマスタ１４２、並びに第２実施形態のプログラムマスタ１４２Ａを格納することで、筋肉を強化するためのプログラムを選択する動作（図６の動作）と、認知能力を向上させるためのプログラムを選択する動作（図１２の動作）と、を双方とも実現することが可能となる。なお、第３実施形態においても、筋肉マスタ１４１、プログラムマスタ１４２、及びプログラムマスタ１４２Ａを記憶部３４に格納することで、実現可能である。
【００５９】
また、上記第１実施形態では、記憶部１４に筋肉マスタ１４１及びプログラムマスタ１４２を記憶させる構成としているが、これに限定されるものではない。例えば、第２実施形態（図１５参照）のように、テスト結果（ｔｅｓｔ＿ｉｄ）とプログラムとを直接対応付けるようにすることで、プログラムマスタ１４２のみを備える構成としてもよい。同様に、第３実施形態においても、プログラムマスタ１４２のみを備える構成としてもよい。
【００６０】
また、上記第１実施形態及び第２実施形態では、サーバ装置１から配信されたプログラムを表示部２３に表示させるようにしているが、これに限定されるものではない。例えば、音声を出力可能なスピーカ等を設けるようにし、サーバ装置１から配信されたプログラムを音声出力させるようにしてもよい。同様に、第３実施形態においても、選択されたプログラムを音声出力させるようにしてもよい。
【００６１】
その他、サーバ装置及び端末装置、並びにＡＤＬアセスメント装置を構成する各装置の細部構成及び各装置の細部動作に関しても、本発明の趣旨を逸脱することのない範囲で適宜変更可能である。
【符号の説明】
【００６２】
１００  ＡＤＬアセスメントシステム
１、１Ａ  サーバ装置
１１  制御部（検索手段、選択手段）
１２  操作部
１３  表示部
１４、１４Ａ  記憶部（記憶手段）
１４１  筋肉マスタ
１４２、１４２Ａ  プログラムマスタ
１５  通信部（サーバ受信手段、配信手段）
２  端末装置
２１  制御部
２２  操作部（入力手段）
２３  表示部（表示手段）
２４  記憶部
２５  通信部（送信手段、端末受信手段）
２６  入力部（入力手段）
３  ＡＤＬアセスメント装置
３１  制御部（検索手段、選択手段、出力制御手段）
３２  操作部（入力手段）
３３  表示部（出力手段）
３４  記憶部（記憶手段）
３６  入力部（入力手段）
Ｎ  通信ネットワーク
【図１】
2015148915.tif 000003
【図２】
2015148915.tif 000004
【図３】
2015148915.tif 000005
【図４】
2015148915.tif 000006
【図５】
2015148915.tif 000007
【図６】
2015148915.tif 000008
【図７】
2015148915.tif 000009
【図８】
2015148915.tif 000010
【図９】
2015148915.tif 000011
【図１０】
2015148915.tif 000012
【図１１】
2015148915.tif 000013
【図１２】
2015148915.tif 000014
【図１３】
2015148915.tif 000015
【図１４】
2015148915.tif 000016
【図１５】
2015148915.tif 000017
【図１６】
2015148915.tif 000018